(57)【要約】【課題】玉計数装置が遊技島の側部に配置される場合、玉計数装置で係数したパチンコ玉を遊技島へ供給して再利用するために、玉計数装置の下部には玉流し樋が設けられている。硬貨搬送装置を遊技島の裏側に設けた場合、硬貨搬送装置のベルト張力装置が玉流し樋と干渉して玉計数装置を所定の位置に取り付けできなくなり、干渉を避けるために玉計数装置の取り付け高さを低くするか、玉流し樋と玉計数装置との関係を変更する必要が生じる。玉計数装置を低くするとパチンコ玉の入った箱を抱えてこの玉計数装置の玉入れ口へ流し込む人の腰に負担がかかる問題がある。【解決手段】遊技機と硬貨識別装置が併設された遊技装置の裏側に設けた硬貨搬送装置のベルトに張力を付与するためのベルト張力装置を駆動回転体側において駆動回転体から従動回転体へ移動するベルト辺に付与したこと。【選択図】　　図１
2004013706.tif 000002
【特許請求の範囲】
【請求項１】
遊技機と硬貨識別装置が併設されて構成された遊技装置の裏側に設けられて、前記硬貨識別装置から送出された硬貨を駆動回転体と従動回転体に渡るように横方向に張った無端ベルトによって前記駆動回転体側に設けた硬貨回収装置へ向けて搬送する硬貨搬送装置であって、前記ベルトに張力を付与するためのベルト張力装置を前記駆動回転体側に設け前記駆動回転体から前記従動回転体へ移動するベルト辺に付与したことを特徴とする硬貨搬送装置。
【請求項２】
前記従動回転体から前記駆動回転体へ向けて移動するベルトとの間に硬貨１枚が通過する間隔を存して配置され前記ベルトの移動方向とは逆方向に回転する硬貨分離用回転体を設け、前記駆動回転体、前記駆動回転体に動力を伝達する電動要素、前記ベルト張力装置、及び前記硬貨分離用回転体をユニット化したことを特徴とする請求項１に記載の硬貨搬送装置。
【請求項３】
前記ベルトと前記硬貨分離用回転体との対向部分における前記硬貨分離用回転体の回転速度は前記ベルトの移動速度よりも大であることを特徴とする請求項２に記載の硬貨搬送装置。
【発明の詳細な説明】
【０００１】
【発明の属する技術分野】
本発明は、遊技機と硬貨識別装置が併設されて構成された遊技装置の裏側に設けられた硬貨搬送装置に関する。
【０００２】
【従来の技術】
遊技機と硬貨識別装置が併設されて構成された遊技装置の裏側に設けられた硬貨搬送装置に関する先行技術の概略構成を図５乃至図８に示す。これにおいて、遊技機５１と挿入された硬貨５３の真偽や種類を識別する硬貨識別装置５２が直線状に複数併設されてグループ形成の遊技装置５０を構成している。このような遊技装置５０は、遊技施設内に恰も「島」を形成するように見えるため、遊技島、遊技装置の島または単に島と称している。このような遊技島は、遊技装置５０が背中合わせに配置したものを両島タイプと称し、片側のみのものを片島タイプと称している。遊技装置５０の裏側の低い位置には、硬貨識別装置５２で識別された真正の硬貨５３を一方向へ搬送する硬貨搬送装置５５が設置されている。通常、この硬貨搬送装置５５も遊技装置５０と関連付けた統括管理システムとなっている。
【０００３】
硬貨搬送装置５５は、駆動側ユニット５７と従動側ユニット５８とを備え、駆動側ユニット５７は、電動機要素５９と、電動機要素５９によってベルト６０を介して駆動される駆動回転体６１と、ベルト５６の姿勢調整用の回転体６２と、更にベルト５６上で重なった硬貨を分離する硬貨分離用回転体６３が箱状のユニット基体６４に納められた構成である。また従動側ユニット５８は、上下一対の従動回転体６５と、ベルト５６に張力を付与するためのベルト張力装置６６が箱状のユニット基体６７に納められた構成である。ベルト５６は、駆動回転体６１と従動回転体６５とに渡って横方向に張られた状態である。硬貨分離用回転体６３は、駆動回転体６１の回転がベルト６０Ａを介して伝達される。
【０００４】
ベルト張力装置６６は、駆動回転体６１から従動回転体６５へ帰還するベルト５６の復路辺５６Ｂに所定の引っ張り力を与えるために、回転体６２と略同レベルに配置された回転体６８と従動回転体６５との間でベルト５６の復路辺５６Ｂを、回転体６９を介して渦巻き状のバネ７０によって引っ張る。このバネ７０は、ユニット基体６７に固定した軸７１に一端が支持されて他端を回転体６９に連結している。７２は駆動側ユニット５７と従動側ユニット５８との間にあってベルト５６の中間領域を覆うカバーを形成する中間ユニットである。
【０００５】
硬貨識別装置５２は、遊技機５１と一対をなすように配置されていて、硬貨識別装置５２への硬貨の挿入によってこの硬貨の金額に応じてパチンコ玉を遊技機５１に供給するシステムである。遊技機５１への玉貸し（パチンコ玉の供給）が便利なように、通常、硬貨識別装置５２は紙幣及び又はカード９０を識別する紙幣識別装置及び又はカード識別装置９１を組み込んで識別ユニット構成になっている。９２は紙幣及び又はカード９０を搬送する搬送装置である。
【０００６】
この構成において、硬貨識別装置５２に挿入された硬貨５３は、硬貨識別装置５２で識別されてガイド樋５４を通して硬貨搬送装置５５のベルト５６の往路辺５６Ａ上へ導入されて駆動側ユニット５７側へ搬送される。駆動側ユニット５７では、ベルト５６の往路辺５６Ａ上に重なって移動する硬貨５３は、硬貨分離用回転体６３に到達し、ベルト５６の往路辺５６Ａの移動方向とは逆向きに回転する硬貨分離用回転体６３によって分離される。ここで分離された硬貨５３は、ベルト５６の往路辺５６Ａと硬貨分離用回転体６３との間に形成された硬貨１枚分の通過間隔を１枚ずつ通り、駆動回転体６１を回るベルト５６から落下して硬貨計数装置８０へ導入されて硬貨の金種ごとの枚数がカウントされた後、下方の金庫８１へ金種別に収納される。
【０００７】
遊技島形成の遊技装置５０の左右には、側壁１００、１０１が設けられ、この側壁１００の内側面には従動側ユニット５８が取り付けられている。また、駆動側ユニット５７と硬貨計数装置８０と金庫８１は、硬貨の回収作業を考慮して、側壁１０１の外側面に露出した状態に取り付けられている。遊技機５１からの出玉であるパチンコ玉１２０の多数は、箱１３０に入れられて玉計数装置１２１に移し入れて計数される。広い遊技施設においては、この玉計数装置１２１は遊技島形成の遊技装置５０の側部に配置されて、顧客が使用している遊技機５１に近い場所での出玉の計数ができるように構成される。１４０は、駆動側ユニット５７と硬貨計数装置８０と金庫８１を側壁１０１との間で覆うカバーであり、その一部には鍵によって施錠された開閉可能な扉が設けられている。
【０００８】
この場合、玉計数装置１２１で係数したパチンコ玉１２０をこの遊技島形成の遊技装置５０へ供給して再利用するために、玉計数装置１２１の下部には玉流し樋１３２が設けられている。この遊技島形成の遊技装置５０の側壁１０１の外側面には、駆動側ユニット５７と硬貨計数装置８０と金庫８１が取り付けられているため、ここに玉計数装置１２１を取り付けることはできない。このため、玉計数装置１２１は側壁１００の外側面に取り付けられる構成となる。
【０００９】
硬貨搬送装置５５の遊技施設の床面からの高さは、硬貨識別装置５２からの硬貨の送出の関係から所定の高さに設定される。一方、パチンコ玉１２０の多数が入った箱１３０は相当の重量となるため、この箱１３２を抱えて玉計数装置１２１に移し入れる際に、その人の腰に係る負担が少ない高さに玉計数装置１２１を取り付けることが重要である。上記の構成において、従動側ユニット５８にはベルト張力装置６６が含まれた構成であるため大きくなり、このように、硬貨搬送装置５５と玉計数装置１２１の両者を所定の高さに取り付けるようにすると、計数装置１２１の下部に設けた玉流し樋１３２とベルト張力装置６６とが干渉し合って玉計数装置１２１を所定の位置に取り付けできなくなる。
【００１０】
この干渉を避けるためには、玉計数装置１２１の取り付け高さを低くするか、玉流し樋１３２と玉計数装置１２１との関係を変更する必要が生じる。玉計数装置１２１の取り付け高さを低くすると、箱１３０を抱えて玉計数装置１２１に移し入れる際にその人の腰に係る負担が大きくなり、腰を痛めることにも繋がる。また、玉流し樋１３２と玉計数装置１２１との関係を変更する場合には、両者の構造変更が必要となり、そのために設置工事期間が長くなり、時間的にも価格的にもアップする。
【００１１】
また、遊技島形成の遊技装置５０の側壁１００、１０１相互の間隔は、１０ｍ程度の長さであるため、ベルト５６の弛みが生じ易い。上記の構成では、ベルト張力装置６６が駆動側ユニット５７の駆動回転体６１から遠く離れた位置にあるため、駆動回転体６１とベルト５６とのスリップを防止するためには、ベルト５６に与えるベルト張力装置６６による作用力を大きくしなければならない。その場合、引っ張り力の強いバネ７０を採用することの必要性があり、ベルト５６が強く引っ張られるとベルト５６の寿命を短くすること等の問題もある。
【００１２】
【発明が解決しようとする課題】
本発明は、このような点に鑑みて、パチンコ玉の入った箱を抱えて玉計数装置に移し入れる際に、その人の腰に係る負担を少なくできるように、パチンコ玉の玉計数装置を所定の高さに設けることができる技術を提供する。また、駆動回転体に近い側においてベルト張力装置を作用させることによって、駆動回転体とベルトとのスリップの防止が良好となる技術を提供する。
【００１３】
本発明において、硬貨とは、一般に社会で利用されている金属性貨幣は勿論のこと、遊技施設において遊技媒体（パチンコ玉、メダル等）の供給を受けるために利用される特定の有価金属体も含むものである。
【００１４】
【課題を解決するための手段】
第１発明は、遊技機と硬貨識別装置が併設されて構成された遊技装置の裏側に設けられて、前記硬貨識別装置から送出された硬貨を駆動回転体と従動回転体に渡るように横方向に張った無端ベルトによって前記駆動回転体側に設けた硬貨回収装置へ向けて搬送する硬貨搬送装置であって、前記ベルトに張力を付与するためのベルト張力装置を前記駆動回転体側に設け前記駆動回転体から前記従動回転体へ移動するベルト辺に付与したことを特徴とする硬貨搬送装置である。
【００１５】
これによって、ベルト張力装置が従動回転体側に設けられたものに比して、パチンコ玉の計数装置との干渉防止効果が得られ、設置がし易くなる。また、ベルト張力装置が駆動回転体側に設けられることによって、駆動回転体とベルトとのスリップ防止の信頼性が向上する。更に、駆動回転体、駆動回転体に動力を伝達する電動要素、及びベルト張力装置をユニット化した構成とすることによって、遊技施設への設置もし易くなる。
【００１６】
第２発明は、第１発明において、前記従動回転体から前記駆動回転体へ向けて移動するベルトとの間に硬貨１枚が通過する間隔を存して配置され前記ベルトの移動方向とは逆方向に回転する硬貨分離用回転体を設け、前記駆動回転体、前記駆動回転体に動力を伝達する電動要素、前記ベルト張力装置、及び前記硬貨分離用回転体をユニット化したことを特徴とする。
【００１７】
これによって、駆動回転体、駆動回転体に動力を伝達する電動要素、ベルト張力装置、及び硬貨分離用回転子がユニットとして設置できるため、これら各部の関係が一定化した構成となり、このユニットを遊技施設へ運搬して設置すればよいので、これら各部の設置現場での調整作業が簡素化され、設置作業もし易くなる。
【００１８】
第３発明は、第２発明において、前記ベルトと前記硬貨分離用回転体との対向部分における前記硬貨分離用回転体の回転速度は前記ベルトの移動速度よりも大であることを特徴とする。
【００１９】
これによって、ベルト上で重なって移動する硬貨のうち、上に載った硬貨は、ベルトによって移動する速さよりも速くその移動方向の上流側へ飛ばされる状態となり、重なった硬貨の分離作用が一段と向上する。
【００２０】
【発明の実施の形態】
次に、本発明硬貨搬送装置の実施の形態について説明する。各図は本発明の硬貨搬送装置の実施形態を示しており、図１は硬貨搬送装置の構成を説明する側面図、図２は本発明の硬貨搬送装置を遊技島形成の遊技装置に配置した構成を説明する側面図、図３は遊技台（又は遊技装置）の側面図、図４は硬貨搬送装置を備えた両島タイプの遊技装置の配置平面図である。
【００２１】
本発明の硬貨搬送装置を図１乃至図４に基づき説明する。この場合、図５乃至図８と同一符号は同一部分を示すものとする。図１乃至図４において、遊技機５１と挿入された硬貨５３の真偽や種類を識別する硬貨識別装置５２が直線状に複数併設されてグループ形成の遊技装置５０を構成している。このような遊技装置５０は、遊技施設内に恰も「島」を形成するように見えるため、遊技島、遊技装置の島または単に島と称している。このような遊技島は、遊技装置５０が背中合わせに配置したものを両島タイプと称し、片側のみのものを片島タイプと称している。遊技装置５０の裏側の低い位置には、硬貨識別装置５２で識別された真正の硬貨５３を一方向へ搬送する硬貨搬送装置５５０が設置されている。この硬貨搬送装置５５０も遊技装置５０と関連付けた統括管理システムとなっている。
【００２２】
硬貨搬送装置５５０は、駆動側ユニット５７０と従動側ユニット５８０とを備え、駆動側ユニット５７０は、電動機要素５９０と、電動機要素５９０によってベルト６００を介して駆動される駆動回転体６１０と、エンドレスベルト即ち、無端ベルト５６０に張力を付与するためのベルト張力装置８００と、更にベルト５６０上の重なった硬貨を分離する硬貨分離用回転体６３０が箱状のユニット基体６４０に納められた構成である。また従動側ユニット５８０は、従動回転体６５０が箱状のユニット基体６７０に納められた構成である。ベルト５６０は、駆動回転体６１０と従動回転体６５０との部分で往路と復路とに転換するベルトＵターン部となるように、駆動回転体６１０と従動回転体６５０とに架け渡された構成である。硬貨分離用回転体６３０は、矢印Ｙの方向に回転するように駆動回転体６１０の回転がベルト６０１を介して伝達される。
【００２３】
ベルト張力装置８００は、上記のように駆動回転体６１０側において駆動回転体６１０から従動回転体６５０へ移動するベルト辺、即ちベルト５６０の復路辺５６２に付与した構成である。具体的には、駆動回転体６１０に近い側において、ユニット基体６４０に固定した軸８２２に回転可能に取り付けた固定回転体８０２が設けられ、そして、渦巻き状のバネ８０３によって引っ張られた可動回転体８０１によって、駆動回転体６１０から固定回転体８０２へ向けて移動するベルト５６０の復路辺５６２を引っ張る構成である。
【００２４】
即ち、可動回転体８０１は、ユニット基体６４０の対抗壁に形成した横方向の長孔８１２に沿って軸８１１が移動可能に挿入されており、またバネ８０３は、ユニット基体６４０に固定した軸８０４に一端が取り付けられ他端が可動回転体８０１の軸８１１に取り付けられており、可動回転体８０１はＷ方向へ付勢されている。これによって、駆動回転体６１０から固定回転体８０２へ向けて移動するベルト５６０の復路辺５６２はＷ方向へ引っ張られ、駆動回転体６１０、可動回転体８０１及び固定回転体８０２はそれぞれ図示の矢印方向へ回転しつつ駆動回転体６１０に対するベルト５６０の接触が良好になる。
【００２５】
このように、ベルト張力装置８００は駆動回転体６１０に近い側においてベルト５６０に張力を付与するため、駆動回転体６１０とベルト５６０とは、スリップしない状態に保持される。７２０は駆動側ユニット５７０と従動側ユニット５８０との間にあってベルト５６０の中間領域を覆うカバーを形成する中間ユニットである。
【００２６】
硬貨識別装置５２は、遊技機５１と一対をなすように配置されていて、硬貨識別装置５２への硬貨５３の挿入によってこの硬貨５３の金額に応じてパチンコ玉を遊技機５１に供給するシステムである。遊技機５１への玉貸し（パチンコ玉の供給）が便利なように、通常、硬貨識別装置５２は紙幣及び又はカード９０を識別する紙幣識別装置及び又はカード識別装置９１を組み込んで識別ユニット構成になっている。９２は紙幣及び又はカード９０を回収装置へ向けて搬送する搬送装置である。
【００２７】
この構成において、硬貨識別装置５２に挿入された硬貨５３は、硬貨識別装置５２で識別されてガイド樋５４を通して硬貨搬送装置５５０のベルト５６０の往路辺５６１上へ導入されて駆動側ユニット５７０側へ搬送される。駆動側ユニット５７０では、ベルト５６０の往路辺５６１上に重なって移動する硬貨５３は、硬貨分離用回転体６３０に到達し、ベルト５６０の往路辺５６１の移動方向Ｓとは逆向きに回転する硬貨分離用回転体６３０によって分離される。ここで分離された硬貨５３は、ベルト５６０の往路辺５６１と硬貨分離用回転体６３０との間に形成された硬貨１枚分の通過間隔を１枚ずつ通り、駆動回転体６１０を回るベルト５６０から落下して硬貨計数装置８０へ導入されて硬貨の金種ごとの枚数がカウントされた後、下方の金庫８１へ金種別に収納される。
【００２８】
遊技島形成の遊技装置５０の左右には、側壁１００、１０１が設けられ、この側壁１００の内側面には従動側ユニット５８０が取り付けられている。また、駆動側ユニット５７０と硬貨計数装置８０と金庫８１は、硬貨の回収作業を考慮して、側壁１０１の外側面に露出した状態に取り付けられている。遊技機５１からの出玉であるパチンコ玉１２０の多数は、箱１３０に入れられて玉計数装置１２１に移し入れて計数される。広い遊技施設においては、この玉計数装置１２１は遊技島形成の遊技装置５０の側部に配置されて、顧客が使用している遊技機５１に近い場所での出玉の計数ができるように構成される。１４０は、駆動側ユニット５７と硬貨計数装置８０と金庫８１を側壁１０１との間で覆うカバーであり、その一部には鍵によって施錠された開閉可能な扉が設けられている。
【００２９】
この場合、玉計数装置１２１で係数したパチンコ玉１２０をこの遊技島形成の遊技装置５０へ供給して再利用するために、玉計数装置１２１の下部には玉流し樋１３２が設けられていて、遊技装置５０へパチンコ玉１２０を再供給する供給装置へ導入するようになっている。この遊技島形成の遊技装置５０の側壁１０１の外側面には、駆動側ユニット５７と硬貨計数装置８０と金庫８１が取り付けられているため、ここに玉計数装置１２１を取り付けることはできない。このため、玉計数装置１２１は側壁１００の外側面に取り付けられる構成となる。
【００３０】
本発明では上記のように、ベルト５６０に張力を付与するためのベルト張力装置８００を駆動回転体６１０側において駆動回転体６１０から従動回転体６５０へ移動するベルト５６０の復路辺５６２に付与した構成であるため、従動側ユニット５８０にはベルト張力装置８００が設けられていないことによって小型化される。このため、先行技術のように硬貨搬送装置５５と玉計数装置１２１の両者を所定の高さに取り付けるようにしても、計数装置１２１の下部に設けた玉流し樋１３２とベルト張力装置８００とが干渉し合うこともなく、玉計数装置１２１を所定の位置に取り付けることができ、先行技術の問題点も解決する。
【００３１】
また、上記のように、従動回転体６５０から駆動回転体６１０へ向けて移動するベルト５６０の往路辺５６１との間に硬貨１枚が通過する間隔を存して配置されベルト５６０の移動方向Ｓとは逆方向Ｙに回転する硬貨分離用回転体６３０を設け、駆動回転体６１０、駆動回転体６１０に動力を伝達する電動要素５９０、ベルト張力装置８００、及び硬貨分離用回転体６３０をユニット基体６４０に納めてユニット化した構成である。これによって、これら各部の関係が一定化した構成となり、このユニットを遊技施設へ運搬して設置すればよいので、これら各部の設置現場での調整作業が簡素化され、設置作業もし易くなる。
【００３２】
本発明では、ベルト５６０と硬貨分離用回転体６３０との対向部分における硬貨分離用回転体６３０の回転速度が、ベルト５６０の硬貨搬送辺である往路辺５６１の移動速度よりも大であるように設定している。これによって、ベルト５６０上で重なって移動する硬貨５３のうち、上に載った硬貨は、ベルト５６０によって移動する速さよりも速くその移動方向の上流側へ飛ばされる状態となり、硬貨５３が重なった状態でベルト５６０の往路辺５６１と硬貨分離用回転体６３０との間に入り込むことがなく、安定した硬貨分離機能が得られる。
【００３３】
本発明は、上記実施形態に限定されず、本発明の技術的範囲を逸脱しない限り種種の変更が考えられ、それに係る種種の実施形態を包含するものである。
【００３４】
【発明の効果】
請求項１の発明により、ベルト張力装置が従動回転体側に設けられたものに比して、パチンコ玉の計数装置との干渉防止効果が得られ、設置がし易くなる。また、ベルト張力装置が駆動回転体側に設けられることによって、駆動回転体とベルトとのスリップ防止の信頼性が向上する。更に、駆動回転体、駆動回転体に動力を伝達する電動要素、及びベルト張力装置をユニット化した構成とすることによって、遊技施設への設置もし易くなる。
【００３５】
請求項２の発明により、駆動回転体、駆動回転体に動力を伝達する電動要素、ベルト張力装置、及び硬貨分離用回転子がユニットとして設置できるため、これら各部の関係が一定化した構成となり、このユニットを遊技施設へ運搬して設置すればよいので、これら各部の設置現場での調整作業が簡素化され、設置作業もし易くなる。
【００３６】
請求項３の発明によると、上記の作用効果に加えて、ベルト上で重なって移動する硬貨のうち、上に載った硬貨は、ベルトによって移動する速さよりも速くその移動方向の上流側へ飛ばされる状態となり、重なった硬貨の分離作用が一段と向上する。
【図面の簡単な説明】
【図１】本発明に係る硬貨搬送装置の構成を説明する側面図である。
【図２】本発明の硬貨搬送装置を遊技島形成の遊技装置に配置した構成を説明する側面図である。
【図３】本発明に係る遊技台（又は遊技装置）の側面図である。
【図４】本発明の硬貨搬送装置を備えた両島タイプの遊戯装置の配置平面図である。
【図５】先行技術に係る硬貨搬送装置の構成を説明する側面図である。
【図６】先行技術に係る硬貨搬送装置を遊技島形成の遊技装置に配置した構成を説明する側面図である。
【図７】先行技術に係る遊技台（又は遊技装置）の側面図である。
【図８】先行技術に係る硬貨搬送装置を備えた両島タイプの遊戯装置の配置平面図である。
【符号の説明】
５０・・・遊技装置
５１・・・遊技機
５２・・・硬貨識別装置
５３・・・硬貨
１２０・・・パチンコ玉
１２１・・・玉計数装置
５５０・・・硬貨搬送装置
５６０・・・ベルト
５６１・・・ベルトの往路辺
５６２・・・ベルトの復路辺
５７０・・・駆動側ユニット
５８０・・・従動側ユニッ
５９０・・・電動機要素
６００・・・ベルト
６１０・・・駆動回転体
６３０・・・硬貨分離用回転体
６４０・・・ユニット基体
６５０・・・従動回転体
６７０・・・ユニット基体
８００・・・ベルト張力装置
８０１・・・可動回転体
８０２・・・固定回転体
８０３・・・渦巻き状のバネ
【図１】
2004013706.tif 000003
【図２】
2004013706.tif 000004
【図３】
2004013706.tif 000005
【図４】
2004013706.tif 000006
【図５】
2004013706.tif 000007
【図６】
2004013706.tif 000008
【図７】
2004013706.tif 000009
【図８】
2004013706.tif 000010